(57)【特許請求の範囲】
【請求項１】
コンバーターハウジングとトランスミッションハウジングを接合させる取付フランジ部に、前記取付フランジ部の周方向に、前記取付フランジ部の他の部分よりも厚肉となるように所定の間隔をおいて複数設けられたボルト取付用座面部を、前記取付フランジ部の周方向に拡大し、前記ボルト取付用座面部のそれぞれに、前記ボルト取付用座面部の周方向にトランスミッションケース取付用の取付ボルト穴を複数設けたことを特徴とするコンバーターハウジングの取付座構造。
【請求項２】
前記ボルト取付用座面部は、コンバーターハウジングとトランスミッションハウジングとをある一定の角度で位相をずらして接合可能な範囲で周方向に拡大されている請求項１記載のコンバーターハウジングの取付座構造。
【発明の詳細な説明】
【０００１】
【発明の属する技術分野】
本発明は、自動変速機の車両への搭載角度を変更することができるコンバーターハウジングの取付座構造に関するものである。
【０００２】
【従来の技術】
図３に示すようにトルクコンバーター５を収納するコンバーターハウジング１は、その前側の取付フランジ部１Ｂでエンジンのシリンダブロック（図示せず）に、その後側の取付フランジ部１Ａで、自動変速機のパワートレンを収容するミッションケース４の取付フランジ部４Ａにそれぞれ取付ボルト７により結合される。
【０００３】
そして、従来では、コンバーターハウジング１の取付フランジ部１Ａには、図４に示すように取付ボルト穴２を有するボルト取付用座面部６が周方向に所定の間隔をおいて複数形成してあり、また、コンバーターハウジング１の内壁部から取付フランジ部１Ａにかけてボルト取付用座面部６の両脇に、コンバーターハウジング１の剛性を高めるためにリブ３が形成してある。
【０００４】
【発明が解決しようとする課題】
しかしながら、上記のようなボルト取付用座面部６を有するコンバーターハウジング１では、前記取付ボルト穴２における取付ボルト７のガタ分だけ取付位置の移動が可能であるが、隣接するボルトのピッチに対し、半ピッチ程度の搭載角度の変更を必要とする場合には、もはや対応できない。
【０００５】
自動変速機の車両への搭載角度を変更したいとき、前記取付ボルト穴２の位置を変更することが考えられるが、取付ボルト穴２の両脇に、コンバーターハウジング１の剛性を高めるためにリブ３が形成してあるために、このリブ３が邪魔になって、前記取付ボルト穴２の位置を変更することができないという問題点があった。
【０００６】
また、自動変速機の車両への搭載角度を変更したいときに、前記取付ボルト穴２を長孔にしたり、取付ボルト穴２を余分に設けて、設計狙いの搭載角度に変更可能にすることも考えられるが、この場合には、コンバーターハウジング１とトタンスミッションケース４との間の結合剛性の低下を招くという問題点があった。
【０００７】
また、搭載角度変更の他の対応策として、コンバーターハウジング１の、エンジンのシリンダーブロックとの取付穴を変更するようにすればよいが、この場合は、コンバーターハウジング１に付属しているスターターモーター取付部や排気管取付部も同時に回転するため、車両側部品との取付互換性が失われてしまうという問題点があった。
【０００８】
本発明は、上記の問題点に着目してなされたものであり、その目的とするところは、リブに邪魔されることなく、また、コンバーターハウジングとトランスミッションケースとの間の結合剛性の低下を招くことなく、自動変速機の車両への搭載角度を変更することに寄与できるコンバーターハウジングの取付座構造を提供することにある。
【０００９】
【課題を解決するための手段】
上記の目的を達成するために、請求項１の発明に係わるコンバーターハウジングの取付座構造は、コンバーターハウジングとトランスミッションハウジングを接合させる取付フランジ部に、前記取付フランジ部の周方向に、前記取付フランジ部の他の部分よりも厚肉となるように所定の間隔をおいて複数設けられたボルト取付用座面部を、前記取付フランジ部の周方向に拡大し、前記ボルト取付用座面部のそれぞれに、前記ボルト取付用座面部の周方向にトランスミッションケース取付用の取付ボルト穴を複数設けたことを特徴とする。
【００１０】
かかる構成により、コンバーターハウジングは、各取付フランジ部のトランスミッションケース取付用の取付ボルト穴のうちの一方の取付ボルト穴を用いてミッションケースに取付ボルトにより結合されている状態から自動変速機の車両への搭載角度を変更したいときに、取付ボルトを外して、ミッションケースを変更角度αだけ回転させて、このミッションケースの取付フランジ部の取付ボルト穴を、前記ボルト取付用座面部に設けた他方の取付ボルト穴に一致させて、再び取付ボルトで結合する。
【００１１】
このように、リブに邪魔されることなく、また、コンバーターハウジングとトタンスミッションケースとの間の結合剛性の低下を招くことなく、自動変速機の車両への搭載角度を変更することができる。
【００１２】
また、前記ボルト取付用座面部を、前記取付フランジ部の周方向に拡大して形成するものであるために、前記ボルト取付用座面部とコンバーターハウジングとを共通のダイキャスト素材で共に成形することができる。
【００１３】
また、前記ボルト取付用座面部の、前記取付フランジ部の周方向への拡大（ボトムアップ）とリブとの組み合わせによりコンバーターハウジングの剛性が向上する。
【００１４】
また、上記の目的を達成するために、請求項２の発明に係わるコンバーターハウジングの取付座構造は、請求項１記載のコンバーターハウジングの取付座構造において、前記ボルト取付用座面部は、コンバーターハウジングとトランスミッションハウジングとをある一定の角度で位相をずらして接合可能な範囲で周方向に拡大されている。
【００１５】
かかる構成により、上記した請求項１の発明の作用と同様な作用を奏し得るばかりか、自動変速機の車両への搭載角度の変更を容易に行なうことができる。
【００１６】
【発明の実施の形態】
以下、本発明の実施の形態を図面に基づいて説明する。
図１は本発明に係わる取付座構造を備えたコンバーターハウジングの一部省略した正面図である。
【００１７】
コンバーターハウジング１の取付フランジ部１Ａには、周方向に所定の間隔をおいて複数のボルト取付座面部１１が形成してある。これらのボルト取付座面部１１は、従来におけるコンバーターハウジング１のボルト取付座面部６を、取付フランジ部１Ａの周方向に長く延長した（拡大した）形状であって、これらのボルト取付座面部１１は取付フランジ部１Ａの他の部分より肉厚にしてある。そして、ボルト取付座面部１１には、従来におけるボルト取付座面部６に形成した取付ボルト穴２に相当する取付ボルト穴１２Ａの他に、ボルト取付座面部１１の延長部分１１Ａに位置し且つ取付ボルト穴１２Ａより周方向に所定の間隔をおいた他の取付ボルト穴１２Ｂが設けてある。したがって、取付ボルト穴１２Ａと取付フランジ部１Ａの中心Ｐを結ぶ直線イと、取付ボルト穴１２Ｂと取付フランジ部１Ａの中心Ｐを結ぶ直線ロとが成す角度αが変更角度である。
【００１８】
また、コンバーターハウジング１の内壁部から取付フランジ部１Ａにかけて、コンバーターハウジング１の剛性を高めるために放射状にリブ３が形成してあるが、前記取付フランジ部１Ａに形成されたボルト取付座面部１１が、従来におけるコンバーターハウジング１のボルト取付座面部６を、取付フランジ部１Ａの周方向に長く延長した形状であるために、前記リブ３のボルト取付座面部１１の延長部分１１Ａへの干渉を防止する必要があって、リブ３は平面視でクランク状に屈曲形成してあって、この屈曲部１３が前記ボルト取付座面部１１の辺縁部１１Ｃに沿って迂回している。
【００１９】
このようにリブ３の位置を移動せずに屈曲させて対応する理由は、リブ３間のピッチを均等に保ちコンバーターハウジング１の強度バランスを崩さないようにするためである。
【００２０】
したがって、コンバーターハウジング１は、各取付フランジ部１Ａの取付ボルト穴１２Ａを用いてミッションケース４に取付ボルト７により結合されているが、自動変速機の車両への搭載角度を変更したいときに、取付ボルト７を外して、ミッションケース４を変更角度αだけ回転させて、このミッションケース４の取付フランジ部４Ａの取付ボルト穴を、前記ボルト取付座面部１１の延長部分１１Ａに設けた取付ボルト穴１２Ｂに一致させて、再び、取付ボルト７で結合する。
【００２１】
上記した実施の形態例によれば、リブ３に邪魔されることなく、また、コンバーターハウジング１とトランスミッションケース４との間の結合剛性の低下を招くことなく、自動変速機の車両への搭載角度を変更することができる。
【００２２】
また、前記ボルト取付座面部１１を、前記取付フランジ部１Ａの周方向に拡大して形成するものであるために、前記ボルト取付座面部１１とコンバーターハウジング１とを共通のダイキャスト素材で共に成形することができる。
【００２３】
また、前記ボルト取付座面部１１の、前記取付フランジ部１Ａの周方向への拡大（ボトムアップ）と前記リブ３の屈曲形成との組み合わせにより、コンバーターハウジング１の剛性が向上するし、また、前記リブ３の屈曲部１３は、前記ボルト取付座面部１１に塗布しているシール剤の漏れを防止する。
【００２４】
【発明の効果】
以上説明したように、請求項１の発明に係わるコンバーターハウジングの取付座構造によれば、コンバーターハウジングとトランスミッションハウジングを接合させる取付フランジ部に、前記取付フランジ部の周方向に、前記取付フランジ部の他の部分よりも厚肉となるように所定の間隔をおいて複数設けられたボルト取付用座面部を、前記取付フランジ部の周方向に拡大し、前記ボルト取付用座面部のそれぞれに、前記ボルト取付用座面部の周方向にトランスミッションケース取付用の取付ボルト穴を複数設けたことにより、コンバーターハウジングは、各取付フランジ部のトランスミッションケース取付用の取付ボルト穴のうちの一方の取付ボルト穴を用いてミッションケースに取付ボルトにより結合されている状態から自動変速機の車両への搭載角度を変更したいときに、取付ボルトを外して、ミッションケースを変更角度αだけ回転させて、このミッションケースの取付フランジ部の取付ボルト穴を、前記取付座面部に設けた他方の取付ボルト穴に一致させて、再び取付ボルトで結合する。
【００２５】
このように、リブに邪魔されることなく、また、コンバーターハウジングとトタンスミッションケースとの間の結合剛性の低下を招くことなく、自動変速機の車両への搭載角度を変更することができる。
【００２６】
また、前記取付座面部を、前記取付フランジ部の周方向に拡大して形成するものであるために、前記取付座面部とコンバーターハウジングとを共通のダイキャスト素材で共に成形することができる。
【００２７】
また、前記取付座面部の、前記取付フランジ部の周方向への拡大（ボトムアップ）とリブとの組み合わせによりコンバーターハウジングの剛性が向上する。
【００２８】
また、請求項２の発明に係わるコンバーターハウジングの取付座構造によれば、請求項１記載のコンバーターハウジングの取付座構造において、前記ボルト取付用座面部は、コンバーターハウジングとトランスミッションハウジングとをある一定の角度で位相をずらして接合可能な範囲で周方向に拡大されていることにより、上記した請求項１の発明の効果と同様な効果を奏し得るばかりか、自動変速機の車両への搭載角度の変更を容易に行なうことができる。
【図面の簡単な説明】
【図１】本発明に係わる取付座構造を備えたコンバーターハウジングの一部省略した正面図である。
【図２】コンバーターハウジングとトランスミッションケースとの結合状態の斜視図である。
【図３】コンバーターハウジングとトルクコンバータとの斜視図である。
【図４】従来の取付座構造を備えたコンバーターハウジングの一部省略した正面図である。
【符号の説明】
１    コンバーターハウジング
３    リブ
１Ａ  取付フランジ部
１１  ボルト取付座面部
１１Ｃ  辺縁部
１２Ａ  取付ボルト穴
１２Ｂ  取付ボルト穴
１３  屈曲部
【図１】
0003586055.tif 000002
【図２】
0003586055.tif 000003
【図３】
0003586055.tif 000004
【図４】
0003586055.tif 000005